(57)【要約】      （修正有）【課題】綺麗な外観及び安定性を有する液晶表示装置を提供する。【解決手段】液晶表示装置は、ケース１０と、ケース１０に収容される液晶パネル３０と、液晶パネル３０の周縁をカバーするフレームと、カバー２０と、を含む。ケース１０とフレームとは一体に設けられ、ケース１０は、メイン部１１及びメイン部の両端から延在している延在部１２を備え、メイン部１１と延在部１２との間には間隙が形成されている。液晶パネル３０は、間隙からフレームに沿ってスライドされることによりケース１０の内部に収容され、この際、液晶パネル３０の周縁は、フレームにカバーされ、カバー２０は、間隙に配置され、且つケース１０と協働で液晶パネル３０をケースに固定する。【選択図】図２
2016224391.tif 000002
【特許請求の範囲】
【請求項１】
ケースと、前記ケースに収容される液晶パネルと、前記液晶パネルの周縁をカバーするフレームと、カバーと、を含む液晶表示装置であって、
前記ケースと前記フレームとは一体成形され、前記ケースは、メイン部及び前記メイン部の両端から延在している延在部を備え、前記メイン部と前記延在部との間には間隙が形成され、前記液晶パネルは、前記間隙から前記フレームに沿ってスライドされることにより前記ケースに収容され、前記液晶パネルの周縁は、前記フレームにカバーされ、前記カバーは、前記間隙に配置され、且つ前記ケースと協働で前記液晶パネルを前記ケースに固定することを特徴とする液晶表示装置。
【請求項２】
前記メイン部は、基板と、前記基板の両端及び外側辺から下方へそれぞれ垂直に延在している第一側壁、第二側壁、及び第三側壁と、を備えることを特徴とする請求項１に記載の液晶表示装置。
【請求項３】
前記基板の内側辺の前記第一側壁に隣接する一端には、開口が設けられ、前記開口は、前記カバーを取り付けるために用いられ、前記開口は、Ｌ字状であることを特徴とする請求項２に記載の液晶表示装置。
【請求項４】
前記基板の内側辺の表面には、係合スロットが形成され、前記係合スロットの側縁は、前記基板の表面に対して垂直に上方へ突出していることを特徴とする請求項２に記載の液晶表示装置。
【請求項５】
前記延在部は、前記第一側壁及び前記第二側壁の一端からそれぞれ延在している２つの延在アームと、前記２つの延在アームを接続する接続部と、を備えることを特徴とする請求項２に記載の液晶表示装置。
【請求項６】
前記フレームは、前記第一側壁、前記第二側壁、前記第三側壁、及び前記２つの延在アームにより取り囲まれ、且つ前記第一側壁、前記第二側壁、前記第三側壁、及び前記２つの延在アームに対して垂直に、前記液晶パネルに向かって延在していることを特徴とする請求項５に記載の液晶表示装置。
【請求項７】
前記基板の内側辺には、互いに平行な２つの突縁が基板に対して垂直に上方へ延在し、前記２つの突縁は、前記第一側壁から前記第二側壁まで延在し、且つ第一側壁及び前記第二側壁にそれぞれ接続され、前記２つの突縁の両端には、前記２つの突縁を接続する接続縁がそれぞれ形成されており、前記２つの突縁との間には、係合スロットが設けられていることを特徴とする請求項２に記載の液晶表示装置。
【請求項８】
前記カバーは、Ｌ字状のプレートであり、水平な本体と、前記本体の一端から前記本体の延在方向に対して垂直に延在している延在板と、を備えることを特徴とする請求項２に記載の液晶表示装置。
【請求項９】
前記延在板の外表面には、第一窪み部及び第二窪み部がそれぞれ設けられ、前記延在板の内表面には、前記第一窪み部及び前記第二窪み部に対応して、第一凸部及び第二凸部が突設されていることを特徴とする請求項８に記載の液晶表示装置。
【請求項１０】
前記カバーの周縁には、前記延在部と係合するための第一連結壁、第二連結壁、第三連結壁、及び第四連結壁が設けられていることを特徴とする請求項１に記載の液晶表示装置。
【発明の詳細な説明】
【技術分野】
【０００１】
本発明は、表示装置に関し、特に液晶パネルに関するものである。
【背景技術】
【０００２】
近年、液晶ディスプレイ技術が、従来のＣＲＴ（Ｃａｔｈｏｄｅ  Ｒａｙ  Ｔｕｂｅ）技術に替わって主流となっており、テレビ、タブレットパソコン、デジタルカメラ、デスクトップコンピュータ及び商用大型ディスプレイなどに幅広く応用されている。
【０００３】
通常、液晶テレビ、タブレットパソコンなどの液晶ディスプレイ製品は、一般的にフレーム、ケース、及び液晶パネルを含む。フレームは、液晶パネルをカバーするように、鉤、ラッチ部、ネジ、又は接着剤などによってケースに組み付けられ、液晶パネル及び内部の電子部品を保護する。しかし、上記の方法によってフレームとケースとを組み立てた場合、フレームとケースとの間に間隙が形成される。当該間隙は、表示装置の外観に影響を与える。また、外力の影響によりフレーム及びケースが長時間にわたって振動すると、フレームとケースと液晶パネルとの結合が緩むため、液晶パネルが外れるおそれがある。
【発明の概要】
【発明が解決しようとする課題】
【０００４】
本発明の目的は、上記の問題を解決し、綺麗な外観及び安定性を有する液晶表示装置を提供することである。
【課題を解決するための手段】
【０００５】
上記目的を達成するために、本発明に係る液晶表示装置は、ケースと、ケースに収容される液晶パネルと、液晶パネルの周縁をカバーするフレームと、カバーと、を含む。ケースとフレームとが一体に設けられ、ケースは、メイン部及びメイン部の両端から延在している延在部を備え、メイン部と延在部との間には間隙が形成されている。液晶パネルは、間隙から、フレームに沿ってスライドされることによりケースの内部に収容され、この際、液晶パネルの周縁は、フレームにカバーされ、カバーは、間隙に配置され、且つケースと協働で液晶パネルをケースに固定する。
【発明の効果】
【０００６】
本発明に係る液晶表示装置のフレーム、第一側壁、第二側壁、及び第三側壁は、ケース上に一体成形され、液晶パネルは、一体成形されたケースとカバーを介して挟まれる。従って、ラッチ部やネジ等を介して、フレームとケースと液晶パネルとを結合させる必要がないため、液晶表示装置の美観を維持でき、且つ安定性を高めることができる。
【図面の簡単な説明】
【０００７】
【図１】本発明の実施形態に係る液晶表示装置の組立斜視図である。
【図２】図１に示す液晶表示装置の分解斜視図である。
【図３】図２に示す液晶表示装置のケースの立体斜視図である。
【図４】図３に示す液晶表示装置のケースのＩＶ部の拡大図である。
【図５】図３に示す液晶表示装置のケースを別の視点から見た立体斜視図である。
【図６】図２に示す液晶表示装置のカバーの立体斜視図である。
【図７】図６に示す液晶表示装置のカバーを別の視点から見た立体斜視図である。
【発明を実施するための形態】
【０００８】
図１及び図２に示したように、本発明の実施形態に係る液晶表示装置１００は、液晶テレビ、タブレットパソコン、ノートパソコン、デジタルカメラなどの電子機器に応用される。液晶表示装置１００は、矩形であり、ケース１０と、ケース１０と係合するカバー２０と、液晶パネル３０と、を備える。液晶パネル３０は、ケース１０とカバー２０との間に形成される収容部内に収容される。
【０００９】
ケース１０は、プラスチックから製造され、且つ、メイン部１１と、メイン部１１の両端に接続されている延在部１２と、を含む。
【００１０】
図３を併せて参照すると、メイン部１１は、矩形の基板１１１と、基板１１１の両端の外側辺から下方にそれぞれ垂直に延在している第一側壁１１２、第二側壁１１３、及び第三側壁１１４と、を備える。
【００１１】
基板１１１の内側辺（即ち、第三側壁１１４が設けられた辺と反対側の辺）の第一側壁１１２に隣接する一端には、開口１１１０が設けられている。当該開口１１１０は、Ｌ字状であり、カバー２０を取り付けるために用いられる。また、基板１１１の内側辺には、互いに平行な２つの突縁１１１２が基板に対して垂直に上方へ延在しており、これら２つの突縁１１１２は、第一側壁１１２から第二側壁１１３まで延在し、且つ第一側壁１１２及び第二側壁１１３にそれぞれ接続されている。２つの突縁１１１２の両端には、２つの突縁１１１２を接続する接続縁１１１３がそれぞれ形成されており、接続縁１１１３と２つの突縁１１１２との間には、係合スロット１１１５が設けられている。本実施形態において、係合スロット１１１５の第二側壁１１３に近接する一端には、切込みが設けられている。従って、当該切込みを介してカバー２０を基板１１１に装着することができる。基板１１１の係合スロット１１１５内には、カバー２０を取り付け且つ固定するための貫通孔１１１６が設置されている。本実施形態において、２つの貫通孔１１１６が設置されている。他の実施形態においては、貫通孔１１１６は、金型又はその他の具体的な要求に応じて必要な数だけ設置することができる。
【００１２】
図４を併せて参照すると、延在部１２は、第一側壁１１２及び第二側壁１１３の一端からそれぞれ延在している２つの延在アーム１２１と、２つの延在アーム１２１を接続する接続部１２２と、を備える。２つの延在アーム１２１の、第三側壁１１４から離間する側の末端は、アーム１２１の延在方向と角度を成して下方へ湾曲しており、接続部１２２は、２つの延在アーム１２１の末端を接続する。接続部１２２は、底壁１２２１と、底壁１２２１の外側辺から上方へ垂直に延在しているブロック壁１２２２と、底壁１２２１の内側辺から基板１１１の上方に向かって傾斜して延在している傾斜壁１２２３と、を含む。底壁１２２１、ブロック壁１２２２及び傾斜壁１２２３の間には収容溝が形成され、当該収容溝は、液晶パネル３０及びカバー２０を装着するために用いられる。ブロック壁１２２２の内側には、カバー２０を取り付けるための複数の係合部（図示せず）が形成されている。
【００１３】
図５を参照すると、フレーム１３は、第一側壁１１２、第二側壁１１３、第三側壁１１４、及び延在アーム１２１により取り囲まれ、且つ第一側壁１１２、第二側壁１１３、第三側壁１１４、及び延在アーム１２１に垂直に、且つ液晶パネル３０に向かって延在している。フレーム１３の外周縁は、第一側壁１１２、第二側壁１１３、第三側壁１１４、及び延在アーム１２１と同一平面上に位置し、液晶パネル３０を収容し且つ液晶パネル３０と係合する。
【００１４】
メイン部１１と延在部１２との間には、Ｌ字状の間隙１１０が設けられている。当該間隙１１０は、液晶パネル３０をケース１０内にスライドさせて、カバー２０を取り付けるために用いられる。
【００１５】
図６及び図７に示すように、カバー２０は、Ｌ字状のプレートであり、水平な本体２１と、本体２１の一端から本体２１の延在方向に対して垂直に延在している延在板２２と、を備える。
【００１６】
本体２１の内表面には、突出部２１１が設けられている。当該突出部２１１と貫通孔１１１６とを互いに係合させることによって、カバー２０とケース１０とを固定する。
【００１７】
延在板２２の外表面には、第一窪み部２２０が設けられており、当該第一窪み部２２０は、その底部に位置する第二窪み部２２１を含む。延在板２２の内表面には、第一窪み部２２０及び第二窪み部２２１に対応して、第一凸部２２２及び第二凸部２２３が突設されている。第二窪み部２２１の位置は、第一窪み部２２０の底部より低い。これに対応して、第二凸部２２３は、第一凸部２２２の上面に形成されており、第一凸部２２２の頂部より高い。第一窪み部２２０のサイズは、開口１１１０のサイズと同じであるため、延在板２２は、開口１１１０に係合することができる。本実施形態において、第一窪み部２２０及び第二窪み部２２１は矩形である。
【００１８】
カバー２０の周縁には、延在部１２と係合するための第一連結壁２０１、第二連結壁２０２、第三連結壁２０３、及び第四連結壁２０４が設置されている。具体的には、係合スロット１１１５に収容される第四連結壁２０４の高さは、第一連結壁２０１、第二連結壁２０２、及び第三連結壁２０３の高さより低い。第二連結壁２０２及び第三連結壁２０３の形状は、２つの延在アーム１２１の形状に対応する。第一連結壁２０１には、延在部１２に対応して、ラッチ部２０１１及び取り付け孔２０２２が設けられている。ラッチ部２０１１は、ブロック壁１２２２の係合部と係合するために用いられ、取り付け孔２０２２は、液晶表示装置１００を電子装置に取り付けるために用いられる。
【００１９】
液晶パネル３０は、矩形のプレートであり、電子表示に用いられる。本発明に係る液晶パネル３０は、ＴＮパネル、ＶＡパネル、ＩＰＳパネル、及びＣＰＡパネルなどのうちの一種からなる。
【００２０】
液晶表示装置１００を組み立てる際、液晶パネル３０を間隙１１０から、フレーム１３に沿ってケース１０の内部にスライドして収容する。液晶パネル３０がケース１０内に収容されると、液晶パネル３０の表示面の３つの側辺は、フレーム１３、第一側壁１１２、第二側壁１１３、及び第三側壁１１４にカバーされる。もう１つの側辺は、接続部１２２内に収容される。次に、カバー２０をケース１０に装着する。具体的には、第一凸部２２２を開口１１１０に係合させ、ラッチ部２０１１を係合部に係合させて、カバー２０をケース１０に緊密に装着する。このとき、カバー２０の第一連結壁２０１、第二連結壁２０２、第三連結壁２０３、及び第四連結壁２０４は、延在部１２の延在アーム１２１及び接続部１２２と係合し、液晶パネル３０の間隙１１０から露出する側辺をカバーする。
【００２１】
従来の技術に比べて、本発明に係る液晶表示装置１００のフレーム１３、第一側壁１１２、第二側壁１１３、及び第三側壁１１４は、ケース１０上に一体成形され、液晶パネルは、一体成形されたケースとカバーとを介して挟まれる。従って、ラッチ部やネジ等を介して、フレームとケースと液晶パネルとを組み合わせる必要がないため、液晶表示装置１００の美観を維持でき、且つ安定性を高めることができる。
【符号の説明】
【００２２】
１０  ケース
１１  メイン部
１２  延在部
１３  フレーム
２０  カバー
２１  本体
２２  延在板
３０  液晶パネル
１００  液晶表示装置
１１０  間隙
１１１  基板
１１２  第一側壁
１１３  第二側壁
１１４  第三側壁
１２１  延在アーム
１２２  接続部
２０１  第一連結壁
２０２  第二連結壁
２０３  第三連結壁
２０４  第四連結壁
２１１  突出部
２２０  第一窪み部
２２１  第二窪み部
２２２  第一凸部
２２３  第二凸部
１１１０  開口
１１１２  突縁
１１１３  接続縁
１１１５  係合スロット
１１１６  貫通孔
１２２１  底壁
１２２２  ブロック壁
１２２３  傾斜壁
２０１１  ラッチ部
２０２２  取り付け孔
【図１】
2016224391.tif 000003
【図２】
2016224391.tif 000004
【図３】
2016224391.tif 000005
【図４】
2016224391.tif 000006
【図５】
2016224391.tif 000007
【図６】
2016224391.tif 000008
【図７】
2016224391.tif 000009